(57)【要約】      （修正有）【課題】平板状に折畳んで減容化が可能で、しかも部品点数を増やすことなく折畳んだ状態に保持可能なカップ状容器を提供する。【解決手段】底面部２と、該底面部２の外縁部から上方へ延びる側面部３とを有し、上面を開口させたカップ状容器１であって、容器を縦割に２等分する基準面Ｂと底面部２及び側面部３の下部との交差位置に沿って設けた主折曲案内溝１０と、主折曲案内溝１０の両端部を頂部となし、該頂部から倒立Ｖ字状に底面部２へ向けて延びる補助折曲案内溝１１とを設け、側面部３の上端部に、基準面Ｂに沿うように側面部３を２つに折り畳んだ状態に保持する留め部６を一体的に設けた。【選択図】図３
2015054711.tif 000002
【特許請求の範囲】
【請求項１】
底面部と、該底面部の外縁部から上方へ延びる側面部とを有し、上面を開口させたカップ状容器であって、
前記容器を縦割に２等分する基準面と前記底面部及び側面部の下部との交差位置に沿って設けた主折曲案内溝と、前記主折曲案内溝の両端部を頂部となし、該頂部から倒立Ｖ字状に底面部へ向けて延びる補助折曲案内溝とを設け、
前記側面部の上端部に、前記基準面に沿うように側面部を２つに折り畳んだ状態に保持する留め部を一体的に設けた、
ことを特徴とするカップ状容器。
【請求項２】
前記側面部の上部に基準面との交差位置を頂部とする平面視Ｖ字状の注ぎ部を形成した請求項１記載のカップ状容器。
【請求項３】
前記主折曲案内溝の両端部に連なって前記側面部に、該側面部の上端部まで延びる側面折曲案内溝を形成した請求項１又は２記載のカップ状容器。
【請求項４】
前記主折曲案内溝を外側へ向けて開口する溝で構成し、前記補助折曲案内溝及び側面折曲案内溝を内側へ向けて開口する溝で構成した請求項３記載のカップ状容器。
【請求項５】
前記基準面の両側方に配置される側面部の上端部の長さ方向の途中部に、外方へ突出する舌片を一体的にそれぞれ形成し、前記留め部として、凹凸嵌合する凹部と凸部、相互に係合する１対のフック部、スリットとそれに係合するフック部の中から選択した１組を、前記１対の舌片に形成した請求項１〜４のいずれか１項記載のカップ状容器。
【請求項６】
前記舌片の基部に舌片折曲案内溝を形成した請求項５記載のカップ状容器。
【発明の詳細な説明】
【技術分野】
【０００１】
本発明は、容器を縦割に２等分する基準面に沿うように折畳可能なカップ状容器に関する。
【背景技術】
【０００２】
底面部と側面部とを有し、上面を開口させたカップ状容器として、容器を縦割に２等分する基準面と前記底面部及び側面部の下部との交差位置に沿って設けた主折曲案内溝と、前記主折曲案内溝の両端部を頂部となし、該頂部から倒立Ｖ字状に底面部へ向けて延びる補助折曲案内溝とを設け、主折曲案内溝及び補助折曲案内溝に沿って、底面部の中央部及び側面部における補助折曲案内溝よりも下側部分の中央部を上側へ折り曲げて容器を折畳可能となしたものが提案されている（例えば特許文献１参照。）。
【先行技術文献】
【特許文献】
【０００３】
【特許文献１】特開平０８−２０７９２２号公報
【発明の概要】
【発明が解決しようとする課題】
【０００４】
前記特許文献１記載のカップ状容器では、容器を縦割に２等分する基準面との交差位置に沿って、底面部を２つに折り曲げて重ね合わせるとともに、側面部を２つに折り曲げて重ね合わせることにより、容器を平板状に減容化できる。ところが、特許文献１記載のカップ状容器では、紙で構成する場合には、折癖が付き易いので容易に平板状に減容化できるが、合成樹脂シートで構成すると、底面部はその一部を反転させるので折り畳んだ状態に維持され易いが、容器の側面部の開口部側は合成樹脂シートの弾性によりどうしても元の形状に復帰しようとして、十分な減容化が困難になるという問題があった。
【０００５】
本発明の目的は、平板状に折畳んで減容化が可能で、しかも部品点数を増やすことなく折畳んだ状態に保持可能なカップ状容器を提供することである。
【課題を解決するための手段】
【０００６】
本発明に係るカップ状容器は、底面部と、該底面部の外縁部から上方へ延びる側面部とを有し、上面を開口させたカップ状容器であって、前記容器を縦割に２等分する基準面と前記底面部及び側面部の下部との交差位置に沿って設けた主折曲案内溝と、前記主折曲案内溝の両端部を頂部となし、該頂部から倒立Ｖ字状に底面部へ向けて延びる補助折曲案内溝とを設け、前記側面部の上端部に、前記基準面に沿うように側面部を２つに折り畳んだ状態に保持する留め部を一体的に設けたものである。なお、基準面とは、カップ状容器を縦割に２等分する面であり、例えば横断面が円形の有底円筒状のカップ状容器においては、カップ状容器の上下方向の中心線を含む任意の面に設定でき、横断面が楕円形の有底楕円形のカップ状容器においては、カップ状容器の上下方向の中心線と楕円の長径又は短径を含む面に設定でき、横断面が長方形状や正方形状の有底角筒状のカップ状容器においては、カップ状容器の上下方向の中心線と任意の側面の中心を含む面に設定できる。
【０００７】
このカップ状容器では、カップ状に展開させた状態で、容器に内容物を充填したり、容器内の内容物を使用したりすることになる。そして、カップ状容器の使用後は、底面部の下面側が重なるように、主折曲案内溝に沿って底面部を折り曲げるとともに、補助折曲案内溝に沿って側面部を反転させながら、補助折曲案内部よりも下側部分を容器の内側へ折り込んで、容器の底部を基準面に沿うように折畳むとともに、基準面との交差位置において側面部を折り曲げて、基準面の両側方の側面部を基準面に沿うように重ね合わせて折り畳み、留め部により側面部の上端部を折り畳んだ状態に保持することになる。このため、使用後は、容器を縦割りに２等分する基準面に沿うように容器を略平板状に折畳んで廃棄処分できるので、廃棄物の減容化が可能となり、しかも一体的に設けた留め部により、側面部の上端部を折畳んだ状態に保持できるので、紙製のカップ状容器だけでなく、合成樹脂シートをシート成形してなるカップ状容器であっても、安定性良く容器を折畳んだ状態に保持でき、容器の側面部の開口部側が元の形状に復帰して、十分な減容化ができなくなるという不具合を防止できる。なお、本明細書においてシートとは、厚みに関して厳密な意味を有するものではなく、フィルムを含む総称として用いるものとする。
【０００８】
ここで、前記側面部の上部に基準面との交差位置を谷部とする平面視Ｖ字状の注ぎ部を形成することが好ましい実施の形態である。このように構成すると、側面部の上端部を注ぎ部の谷部を中心に容易に折り曲げることができ、カップ状容器を折り畳んだ状態に維持し易くなる。このようなカップ状容器は、医療用の使い捨てのビーカーとして好適に採用できる。
【０００９】
前記主折曲案内溝の両端部に連なって前記側面部に、該側面部の上端部まで延びる側面折曲案内溝を形成することも好ましい実施の形態である。このように構成すると、側面折曲案内溝に沿って側面部を折り曲げて、側面部を折り畳むことができるので、容器の折畳み作業が容易になる。
【００１０】
前記主折曲案内溝を外側へ向けて開口する溝で構成し、前記補助折曲案内溝及び側面折曲案内溝を内側へ向けて開口する溝で構成することが好ましい実施の形態である。このように構成すると、主折曲案内溝と補助折曲案内溝と側面折曲案内溝において、溝の開口幅が狭くなる方向へ、溝の底部を折り曲げて容器を折り畳むことができるので、容器の折畳み作業が容易になる。
【００１１】
前記基準面の両側方に配置される側面部の上端部の長さ方向の途中部に、外方へ突出する舌片を一体的にそれぞれ形成し、前記留め部として、凹凸嵌合する凹部と凸部、相互に係合する１対のフック部、スリットとそれに係合するフック部の中から選択した１組を、前記１対の舌片に形成することも好ましい。留め部としては任意の構成のものを採用することが可能であるが、凹凸嵌合する凹部と凸部、相互に係合する１対のフック部、スリットとそれに係合するフック部の中から選択した１組を用いる場合には、容器の成形効率を低下させることなく、容器に対して一体的に留め部を形成することができる。
【００１２】
前記舌片の基部に舌片折曲案内溝を形成することもできる。この場合には、舌片折曲案内溝に沿って舌片を折り曲げて、留め部により容器の側面部の上端部を折り畳んだ状態に保持できるので、留め部の留め作業が容易になる。
【発明の効果】
【００１３】
本発明に係るカップ状容器によれば、使用後は、容器を縦割りに２等分する基準面に沿うように容器を略平板状に折畳んで廃棄処分できるので、廃棄物の減容化が可能となり、しかも一体的に設けた留め部により、側面部の上端部を折畳んだ状態に保持できるので、紙製のカップ状容器だけでなく、合成樹脂シートをシート成形してなるカップ状容器であっても、安定性良く容器を折畳んだ状態に保持でき、容器の側面部の開口部側が元の形状に復帰して、十分な減容化ができなくなるという不具合を防止できる。
【図面の簡単な説明】
【００１４】
【図１】カップ状容器の斜視図
【図２】カップ状容器の平面図
【図３】カップ状容器の正面図
【図４】図２のIV-IV線断面図
【図５】図２のV-V線断面図
【図６】図３のVI-VI線断面図
【図７】図３のVII-VII線断面図
【図８】カップ状容器の折畳状態の斜視図
【図９】（ａ）（ｂ）は他の構成の留め部を用いたカップ状容器の平面図
【図１０】他の構成のカップ状容器の斜視図
【図１１】同カップ状容器の折畳状態での斜視図
【発明を実施するための形態】
【００１５】
以下、本発明の実施の形態について図面を参照しながら説明する。
図１〜図８に示すように、カップ状容器１は、合成樹脂シートをシート成形して、上面を開口した有底円筒状に一体成形したもので、底面部２と、底面部２の外縁部から上方へ延びる筒状の側面部３とを有し、カップ状容器１の廃棄時には、図１に図示の展開状態から、図８に図示の折畳み状態に、平板状に折り畳んで廃棄できるように構成されている。
【００１６】
カップ状容器１を構成する合成樹脂シートとしては、シート成形が可能な熱可塑性合成樹脂材料、例えばポリエチレンやポリプロピレンなどのポリオレフィン系樹脂や、塩化ビニル樹脂や、ポリスチレン樹脂などの熱可塑性合成樹脂からなるシート材を採用できる。カップ状容器１の成形方法としては、真空成形や圧空成形や熱プレス成形などのシート成形を採用できる。合成樹脂シートの厚さは、手で折り畳んで廃棄できるように、０．２ｍｍ〜１．０ｍｍのものを好適に採用できる。
【００１７】
次に、カップ状容器１の具体的な構成について、カップ状容器１を縦割に２等分する１つの分割面を基準面Ｂと定義して説明する。
【００１８】
側面部３は上方へ行くにしたがって拡径する円筒状に形成され、側面部３の上部には基準面Ｂとの交差位置を頂部とし、上側へ行くにしたがってカップ状容器１の中心から谷部までの突出長さが大きくなる平面視Ｖ字状の１対の注ぎ部４が形成され、側面部３の上端部には外方へ延びるフランジ部５が全周にわたって形成されている。ただし、注ぎ部４は、その一方又は双方を省略することも可能である。
【００１９】
カップ状容器１を折り畳んだ状態で、その上端部が素材の弾性により元の開口状態に復帰しないように、側面部３の上端部には次のような構成の留め部６が設けられ、側面部３の上端部を折り畳んだ状態に保持できるように構成されている。
【００２０】
基準面Ｂを挟んで両側のフランジ部５の長さ方向の中央部には外方へ突出する平面視三角形状の１対の舌片７が形成され、舌片７の基部には直線状の舌片折曲案内溝８が開口を上側へ向けて形成され、舌片７は舌片折曲案内溝８を中心に上側へ容易に折曲可能に構成されている。
【００２１】
留め部６は、一方の舌片７の中央部に形成した凹部６ａと、他方の舌片７の中央部に形成した凸部６ｂとで構成され、舌片折曲案内溝８を中心に舌片７を上側へ折り曲げて凹部６ａに凸部６ｂを嵌合させることで、カップ状容器１を折り畳んだ状態に保持できるように構成されている。ただし、留め部６としては、シート成形により成形可能で且つ相互に係合可能な構成のものであれば、任意の構成のものを採用することができ、例えば図９（ａ）に示すように、スリット２０ａとフック部２０ｂとからなる留め部２０を１対の舌片７に対して形成し、フック部２０ｂをスリット２０ａに挿入係止して、側面部３の上端部を折り畳んだ状態に保持できるように構成したり、図９（ｂ）に示すように、相互に係合可能なフック部２１ａ、２１ｂからなる留め部２１を１対の舌片７に対して形成し、フック部２１ａ、２１ｂを相互に係合させて、側面部３の上端部を折り畳んだ状態に保持できるように構成したりすることも可能である。また、舌片７の平面形状は、三角形以外の形状、例えば半円状や半長円形や半楕円形や方形状に形成することもできる。
【００２２】
カップ状容器１を展開状態から折畳み状態に容易に折り畳めるようにするため、カップ状容器１には主折曲案内溝１０と補助折曲案内溝１１と側面折曲案内溝１２とが形成されている。ただし、側面折曲案内溝１２は設けることが好ましいが省略することも可能である。
【００２３】
主折曲案内溝１０は、底面部２における基準面Ｂとの交差位置に沿って設けた案内溝１０ａと、側面部３の下部と基準面Ｂとの交差位置に沿って、案内溝１０ａの両端部から上方へ延びる１対の案内溝１０ｂとから側面視略コ字状に形成され、カップ状容器１の外方側へ向けて開口する溝で構成されている。
【００２４】
補助折曲案内溝１１は、案内溝１０ｂの上端近傍部から倒立Ｖ字状に底面部２へ向けて傾斜状に延びる１対の傾斜溝１１ａを１組とし、１対の案内溝１０ｂに対応させて２組設けられ、カップ状容器１の内方側へ向けて開口する溝で構成されている。なお、補助折曲案内溝１１を構成する１対の傾斜溝１１ａは、案内溝１０ｂの両側に間隔をあけて配置したが、案内溝１０ｂよりも上側において連ねて設けたり、案内溝１０ｂの上端部に連ねて設けたりすることもできる。
【００２５】
側面折曲案内溝１２は、側面部３と基準面Ｂとの交差位置に沿って、主折曲案内溝１０の１対の案内溝１０ｂの上端近傍部から側面部３の上端部まで設けられ、注ぎ部４の配設位置においては注ぎ部４の谷部に沿って形成され、カップ状容器１の内方側へ向けて開口する溝で構成されている。
【００２６】
案内溝１０〜１２の溝幅は、同じ溝幅に設定してもよいし、異なる溝幅に設定してもよい。また、全長にわたって同じ溝幅に構成することもできるし、部分的に溝幅を変更するように構成することも可能である。具体的な溝幅としては１．０ｍｍ〜３．０ｍｍに設定できる。更に、主折曲案内溝１０はカップ状容器１の外方側へ向けて開口させ、補助折曲案内溝１１及び側面折曲案内溝１２は、カップ状容器１の内方側へ向けて開口させることが、カップ状容器１を折り畳み易くなるので好ましいが、案内溝１０〜１２の開口方向は任意に設定可能である。更にまた、案内溝１０〜１２に沿って折り曲げ可能な構成であれば、案内溝１０〜１２は必ずしも溝で構成する必要はなく、案内溝１０〜１２に沿って薄肉部分を形成することもできる。案内溝１０ｂの長さは、底面部２を折り畳んだ状態で、大きなシワが発生せず、且つ折り畳んだ姿勢に保持できるように、底面部２の直径の３０％〜５０％に設定することが好ましい。
【００２７】
このカップ状容器１では、カップ状に展開させた状態で、容器に内容物を充填したり、容器内の内容物を使用したりすることになる。そして、カップ状容器１の使用後は、次のようにして、カップ状容器１を図８に示すように平板状に折り畳んで廃棄物を減容化することになる。
【００２８】
先ず、図５に矢印Ａで示すように、上方へ向けて開口する略コ字状の主折曲案内溝１０の下端部の２つの角部１０ｃをカップ状容器１の内側へ向けて斜め上側へ押し込んで、仮想線で示すように主折曲案内溝１０をその長さ方向の中央部が緩やかに上側に突出するように変形させ、底面部２の底面側が重ね合されるように、底面部２を案内溝１０ａに沿って２つに折り曲げるとともに、側面部３のうちの補助折曲案内溝１１よりも下側部分を、案内溝１０ｂを中心に補助折曲案内溝１１に沿って内側へ折り曲げて、カップ状容器１の内側へ折り込み、底面部２及び側面部３のうちの補助折曲案内溝１１よりも下側部分を、主折曲案内溝１０を中心に折り畳む。次に、図８に示すように、側面折曲案内溝１２を中心に基準面Ｂに沿うように側面部３を折り曲げて、基準面Ｂの両側の側面部３を重ね合わせて折り畳む。次に、舌片７を舌片折曲案内溝８を中心に上側へ折り曲げて、留め部６の凸部６ｂを凹部６ａに嵌合させ、側面部３の上端部を閉じた状態に保持し、カップ状容器１を折り畳み状態に保持することになる。
【００２９】
このように、このカップ状容器１では、これを廃棄する際には、底面部２及び側面部３のうちの補助折曲案内溝１１よりも下側部分をカップ状容器１の内側へ折り込んで反転させるので、カップ状容器１の下半部は折り畳んだ状態に保持されることになる。また、側面部３の上端部は素材の弾性により元の円形に復帰しようとするが、留め部６により折り畳んだ状態に確実に保持できるので、カップ状容器１を平板状に折り畳むことができ、廃棄物の減容化が可能となる。
【００３０】
なお、カップ状容器１として、有底な楕円筒状のカップ状容器や、有底な角筒状のカップ状容器を採用することも可能である。横断面楕円形のカップ状容器においては、カップ状容器の上下方向の中心線と楕円の長径又は短径を含む面を基準面に設定し、また横断面長方形状や正方形状の角筒状のカップ状容器においては、カップ状容器の上下方向の中心線と長方形状や正方形状の横断面の任意の辺の中心を含む面を基準面に設定して、前記カップ状容器１と同様に、基準面を基準にして主折曲案内溝と補助折曲案内溝と側面折曲案内溝を形成して、カップ状容器を折り畳み可能に構成することになる。
【００３１】
例えば、図１０に示すように、横断面正方形状の有底な角筒状のカップ状容器１Ａにおいては、カップ状容器１Ａの上下方向の中心線と任意の辺の中心を含む面を基準面Ｂに設定し、主折曲案内溝として、底面部２Ａにおける基準面Ｂとの交差位置に沿って設けた案内溝１０Ａａと、側面部３Ａの下部と基準面Ｂとの交差位置に沿って、案内溝１０Ａａの両端部から上方へ延びる１対の案内溝１０Ａｂからなり、カップ状容器１Ａの外方側へ向けて開口する溝からなる側面視略コ字状の主折曲案内溝１０Ａを設け、補助折曲案内溝として、案内溝１０Ａｂの上端近傍部から倒立Ｖ字状に側面部３Ａの下端角部へ向けて傾斜状に延びる１対の傾斜溝１１Ａａからなり、カップ状容器１Ａの内方側へ向けて開口する溝からなる補助折曲案内溝１１Ａを設け、側面折曲案内溝として、側面部３Ａと基準面Ｂとの交差位置に沿って、主折曲案内溝１０Ａの１対の案内溝１０Ａｂの上端近傍部から側面部３Ａの上端部まで延びる、カップ状容器１Ａの内方側へ向けて開口する溝からなる側面折曲案内溝１２Ａを形成することになる。
【００３２】
このカップ状容器１Ａにおいても、折り畳む際には、前記カップ状容器１Ａと同様に、図１１に示すように、上方へ向けて開口する略コ字状の主折曲案内溝１０Ａが、長さ方向の中央部が上側に凸のコ字状となるように、主折曲案内溝１０Ａの２つの角部１０Ａｃをカップ状容器１Ａの内側へ押し込んで、底面部２Ａの底面側が重ね合されるように、底面部２Ａを案内溝１０Ａａに沿って２つに折り曲げるとともに、側面部３Ａのうちの補助折曲案内溝１１Ａよりも下側部分を、補助折曲案内溝１１Ａを中心にカップ状容器１Ａの内側へ折り込んで、底面部２Ａを折り畳むとともに、側面折曲案内溝１２Ａを中心に基準面Ｂに沿うように側面部３Ａを折り曲げて、基準面Ｂの両側の側面部３Ａを重ね合わせて折り畳むことになる。そして、舌片７を舌片折曲案内溝８を中心に上側へ折り曲げて、留め部６の凸部６ｂを凹部６ａに嵌合させ、側面部３Ａの上端部を閉じた状態に保持し、カップ状容器１Ａを折り畳み状態に保持することになる。
【００３３】
以上、本発明の実施形態について説明したが、本発明は前述した実施形態に何ら限定されるものではなく、本発明の要旨を逸脱しない範囲においてその構成を適宜に変更し得ることは勿論である。
【符号の説明】
【００３４】
１      カップ状容器
２      底面部
３      側面部
４      注ぎ部
５      フランジ部
６      留め部
６ａ    凹部
６ｂ    凸部
７      舌片
８      舌片折曲案内溝
１０    主折曲案内溝
１０ａ  案内溝
１０ｂ  案内溝
１０ｃ  角部
１１    補助折曲案内溝
１１ａ  傾斜溝
１２    側面折曲案内溝
２０    留め部
２０ａ  スリット
２０ｂ  フック部
２１    留め部
２１ａ  フック部
Ｂ      基準面
１Ａ    カップ状容器
２Ａ    底面部
１０Ａ  主折曲案内溝
１０Ａａ  案内溝
１０Ａｂ  案内溝
１０Ａｃ  角部
１１Ａ  補助折曲案内溝
１１Ａａ  傾斜溝
１２Ａ  側面折曲案内溝
【図１】
2015054711.tif 000003
【図２】
2015054711.tif 000004
【図３】
2015054711.tif 000005
【図４】
2015054711.tif 000006
【図５】
2015054711.tif 000007
【図６】
2015054711.tif 000008
【図７】
2015054711.tif 000009
【図８】
2015054711.tif 000010
【図９】
2015054711.tif 000011
【図１０】
2015054711.tif 000012
【図１１】
2015054711.tif 000013